(57)【要約】本発明の目的は、与えられた言葉に応答して記録された人の精神生理学的反応の認知を簡素化し、新しい種類のビデオプログラムを作成することである。発明的なシステムは、関係者（２）を撮影するビデオカメラ（１）と；ビデオ画像を創成する創成と手段（５）と；与えられた言葉に応答した関係者（２）の反射的な精神生理学的反応のデータを測定する手段（４）と；反射的な精神生理学的反応の測定データのパラメータを加えるミキシング手段（５）と；関係者の音声を録音するマイクロホン（３）と；録音された音を関係者の画像に結合し及び／又は録音された音を適切なテキストに変換する手段（５）と；を含む。ミキシング手段（５）は、検定質問の後に測定データのパラメータの変化に応答してビデオ画像及び／又はそのサウンドトラックを変更する変更ユニットを含む。
2007503248.tif 000002
【特許請求の範囲】
【請求項１】
ビデオプログラムの関係者を撮影するビデオカメラと；
前記ビデオカメラによって撮影された関係者の画像を含むビデオプログラムのビデオ画像を創成する創成手段と；
前記関係者の撮影の間に、与えられた言葉に応答した関係者の反射的な精神生理学的反応のデータを測定する測定手段と；
前記反射的な精神生理学的反応の測定データのパラメータを前記ビデオプログラムのビデオ画像に追加するミキシング手段と；
を含んでなるビデオプログラム創成システムであって、
前記関係者の撮影の間に前記関係者の音声を録音するマイクロホンと；
前記関係者の録音された音声を前記関係者の画像に結合する結合手段と；
をさらに含み、
前記ミキシング手段は、検定質問などの前記言葉が与えられた後に関係者の不正直に相当する測定データのパラメータの変化に応答して、前記関係者の録音された音声の振幅周波数特性を変える変更ユニットを含むビデオプログラム創成システム。
【請求項２】
請求項１のビデオプログラム創成システムであって、前記ミキシング手段は、前記測定データのパラメータの変化に応答して前記ビデオプログラムの前記ビデオ画像を変更する追加変更ユニットを含むビデオプログラム創成システム。
【請求項３】
請求項２のビデオプログラム創成システムであって、前記追加変更ユニットは前記関係者の前記画像及び／又は前記ビデオプログラムの前記ビデオ画像の別の対象をその形状、色、輝度、コントラスト及び出現頻度のうちの少なくとも１つを変えるように変更できるビデオプログラム創成システム。
【請求項４】
請求項２のビデオプログラム創成システムであって、前記追加変更ユニットは、前記測定データの前記パラメータの変化レベルを反映する別のアニメ画像を形成できるビデオプログラム創成システム。
【請求項５】
請求項２のビデオプログラムシステムであって、前記関係者の音声を適当なテキストに変換して該適当なテキストをその画像として前記ビデオプログラムの前記ビデオ画像に追加するのは変換手段であるビデオプログラム創成システム。
【請求項６】
請求項５のビデオプログラム創成システムであって、前記追加変更ユニットは前記適当なテキストの前記画像を、その形状、色、輝度、コントラスト及び出現頻度のうちの少なくとも１つを変えるよう変更できるビデオプログラム創成システム。
【請求項７】
請求項１の創成システムであって、前記測定手段は前記マイクロホンで記録された前記関係者の音声に反応する音圧探知器であるビデオプログラム創成システム。
【請求項８】
請求項１のビデオプログラム創成システムであって、前記測定手段は緊張測定プラットフォームであるビデオプログラム創成システム。
【請求項９】
請求項１のビデオプログラム創成システムであって、前記測定手段はポリグラフであるビデオプログラム創成システム。
【請求項１０】
請求項１のビデオプログラム創成システムであって、前記測定手段は、前記検定質問の後に前記関係者の反射的な精神生理学的反応を反映しかつ測定される前記関係者の有機組織体の生理的パラメータを測定するセンサーユニットを含むビデオプログラム創成システム。
【請求項１１】
請求項１０のビデオプログラム創成システムであって、前記センサーユニットは、パルス波ゲージ、パルス数ゲージ、呼吸回数ゲージ、脳生体電気信号ゲージ、および皮膚電気伝導ゲージを含む群から選択されたゲージを含むビデオプログラム創成システム。
【請求項１２】
ビデオプログラムの関係者をビデオ撮影し；
前記関係者のビデオ撮影の間に、与えられた言葉に応答した前記関係者の反射的な精神生理学的反応のデータを測定し；
前記関係者の撮影画像を含む前記ビデオプログラムのビデオ画像を創成し；
前記反射的な精神生理学的反応に関する前記測定データのパラメータを前記ビデオプログラムの前記ビデオ画像に追加する；
ステップを含むビデオプログラム創成方法であって、さらに、
前記関係者のビデオ撮影の間に前記関係者の音声を録音し；
前記録音された前記関係者の音声を前記関係者の前記画像に結合し；
検定質問などの前記言葉が与えられた後に前記関係者の不正直に相当する前記測定データの前記パラメータの変化に応答して、前記関係者の録音された音声の振幅周波数特性を変えることにより前記ビデオプログラムのサウンドトラックを変更する；
ステップを含んでなるビデオプログラム創成方法。
【請求項１３】
請求項１０のビデオプログラム創成方法であって、前記測定データの前記パラメータ変化に応答して前記ビデオプログラムの前記ビデオ画像を変更する追加ステップを含むビデオプログラム創成方法。
【請求項１４】
請求項１３のビデオプログラム創成方法であって、前記ビデオ画像の変更は、前記関係者の画像及び／又は前記ビデオプログラムの前記ビデオ画像の別の対象をその形状、色、輝度、コントラスト及び出現頻度のうちの少なくとも１つを変えることにより行われるビデオプログラム創成方法。
【発明の詳細な説明】
【技術分野】
【０００１】
本発明は特定の機能に特に適合するデータ処理装置と方法に関し、特に、与えられた言葉に対する人の精神生理学的反応を分析するシステムと方法に関する。本発明を医学治療、訴訟、エンターテインメント、またはマスメディアに使用することが可能である。
【背景技術】
【０００２】
与えられた言葉に対する人の反射的反応による精神生理学的情報を分析する様々な装置が知られている。該公知装置の機能の原理は、関連する質問と無関係な質問に被験者が答えている間に、被験者の測定された動特性の変化の本質的特性差に基づくものである。該公知装置はデータ登録を行い、脈、呼吸、皮膚動電気抵抗（伝導率）、血圧、および他の同様の特性であって、測定されテスト質問に応答する有機体のパラメータの反射的な反応を反映するもの、の動特性変化を処理しかつ都合良く表示する。例えば、緊張測定プラットフォーム、音圧探知器、ポリグラフのような装置が知られている（例えば、１９９９年発行のロシア特許、ＲＵ２１２５３９９の明細書参照）。これらの公知装置の使用による精神生理学的情報の分析は資格を持つ専門家だけによって行われるかもしれない。
【０００３】
精神生理学的情報を分析する装置が上記ロシア特許、ＲＵ２１２５３９９において知られている。該分析装置はセンサーユニット、機能的変換器ユニット、再生ユニット、表示ユニット及びアニメ画像信号形成機を含む。この公知装置によって作り出されるアニメ画像の形態と動的変化の分析は資格を有する専門家だけによって行われるかもしれない。
【０００４】
精神生理学的情報の分析のための近代的な装置に使用されるデータ処理の信頼性の増加とデータ形式の改良の両方により、これらの装置を他方面に適用することが可能になる。例えば、ビデオ撮影、コンピュータによる精神生理学的情報と心象の測定は、ビデオプログラム制作のための公知の方法及び装置において一緒に結合される（２０００年発行のロシア特許、ＲＵ２１５７０５４参照）。このシステムは、スタジオに置かれビデオプログラムの関係者を撮影するためのビデオカメラと、ファアグランド画像の対象と、バックグラウンド画像の対象の両方を含むビデオ画像を作る手段を含む。該システムはまたイメージをミキシングする手段を含み、該手段の第１入力端子はビデオカメラの出力端子に連結され、該手段の第２入力端子はビデオ画像生成手段の出力端子に連結される。前記イメージミキシング手段はファアグランドの対象イメージを前記関係者のイメージにミックスする。ビデオ会議モードにおけるビデオプログラムの創成のために、コンピュータによって形成されたイメージの対象が表示され、それに関係者が相互反応する間に、該関係者の精神生理学的データを登録し、該登録されたデータのインデックスをビデオプログラムの他のイメージにミックスすることは可能である。したがって、感情的条件を測定するセンサーユニットにより（例えば、「うそ発見器」即ちポリグラフにより）関係者の精神生理学的条件をモニタすることは可能である。しかしながら、これらの公知の方法と装置は使用分野が狭い。
【発明の開示】
【０００５】
本発明の主目的は、与えられた言葉に対して応答した人の精神生理学的反応の記録を簡単に知覚分析することである。本発明の別の目的は新しい種類のビデオプログラムを創成することである。
【０００６】
本発明のビデオプログラム創成システムは、ビデオプログラムの関係者を撮影するビデオカメラと；ビデオカメラによって撮影された関係者の映像を含むビデオプログラムのビデオ画像を創成する創成手段と；関係者の撮影の間に、与えられた言葉に応答した関係者の反射的な精神生理学的反応に関するデータを測定する測定手段と；反射的な精神生理学的反応に関する測定データのパラメータをビデオプログラムのビデオ画像に追加するミキシング手段；を含む。ビデオプログラム創成システムは、さらに、関係者の撮影の間に関係者の音声を録音するマイクロホンと；録音された関係者の音声を関係者の映像と結合し及び／又は前記音声を適当なテキストに変換しかつ該適切なテキストをビデオプログラムのビデオ画像に画像（例えば「動作線」）として追加する結合手段を含むことで新規である。また、ミキシング手段は、検定質問などの言葉を与えた後の測定データのパラメータの変化に応答してビデオプログラムのビデオ画像及び／又はそのサウンドトラックを変更する変更ユニットを含む。
【０００７】
変更ユニットの実施態様として以下の異なるものとすることができる。
【０００８】
-前記変更ユニットは関係者の映像及び／又は適切なテキストの映像及び／又はビデオプログラムのビデオ画像の他の対象を、それらの形状及び／又は色及び／又は輝度及び／又はコントラスト及び／又は出現頻度を変えることにより、変更することが可能である、
-前記変更ユニットは測定データのパラメータの変化レベルを反映する別のアニメイメージを形成することが可能である、または
-前記変更ユニットは、関係者の録音された音声の振幅周波数特性を変えることが可能である。
【０００９】
上記変更ユニットの目的は、関係者に与えられた特定の検定質問に対する関係者の回答が正直か不正直かをスクリーンに（例えば、リアルタイムで）表示することであり、正直か不正直かは測定手段を使用して得られる信頼性の度合いに関して決定される。
【００１０】
それに関して、以下の異なる測定手段を用いることができる。
【００１１】
-マイクロホンで記録した関係者の音声に反応する音圧探知器、
-緊張測定プラットフォーム、または
-ポリグラフ。
【００１２】
上記測定手段の目的は与えられた検定質問に対する関係者の応答が正直か不正直かを決定するものである。この決定法は達成可能な信頼度の境界に基づく。
【００１３】
さらに、測定手段は関係者の有機組織体の生理的なパラメータを測定するセンサーユニットを含むことができ。これらのパラメータは、検定質問の後に関係者の反射的な精神生理学的反応を反映し測定されものである。このセンサーユニットは、パルス波ゲージ、パルス数ゲージ、呼吸回数ゲージ、脳生体電気信号ゲージ、皮膚電気伝導ゲージ等の群から選択されるゲージを含むことができる。
【００１４】
本発明のビデオプログラム創成方法は、ビデオプログラムの関係者をビデオ撮影し；関係者のビデオ撮影の間に、与えられた言葉に応答して関係者の反射的な精神生理学的反応に関するデータを測定し；関係者の撮影画像を含むビデオプログラムのビデオ画像を創成し；反射的な精神生理学的反応に関する測定データのパラメータをビデオプログラムのビデオ画像に追加する；ステップを含む。関係者のビデオ撮影の間に関係者の音声を録音し；録音された関係者の音声を関係者の画像に結合し及び／又は該音声を適切なテキストに変換しかつ該適切なテキストを画像としてさらにビデオプログラムのビデオ画像に追加し；検定質問のような言葉が与えられた後の測定データのパラメータの変化に応答してビデオプログラムのビデオ画像及び／又はそのサウンドトラックを変更する；という追加ステップを含むことは新規である。
【００１５】
ビデオプログラムの変更を次のように行うことができる。
【００１６】
-関係者の画像及び／又は適切なテキストの画像及び／又はビデオプログラムのビデオ画像の他の対象を、それらの形状及び／又は色及び／又は輝度及び／又はコントラスト及び／又は出現度数を変更することにより変更、
-測定データのパラメータの変化レベルを反映する別のアニメ画像を形成する。
【００１７】
該変更はまた、関係者の録音された音声の振幅周波数特性を変えることによっても行うことができる。
【００１８】
検定質問の後の関係者の反射的な精神生理学的反応を反映して測定される関係者の有機組織体の生理的パラメータを測定により測定を行うことはより良い。
【発明の実施するための最良の形態】
【００１９】
１実施形態を示す図１に関して発明を説明する。発明をデジタルビデオプログラム創成システムの例示として説明する。
【００２０】
このシステムは、ビデオプログラムの関係者２を撮影するデジタルビデオカメラ１と、電気信号をデジタル形式に変換する内蔵変換器を備えるマイクロホン３を含んでいる。マイクロホン３の出力端子はパーソナルコンピュータ５の声圧探知器４のポートと、ＵＳＢ−ポートの両方に並列に接続されている。ビデオカメラ１の出力端子はコンピュータ５の他のＵＳＢ−ポートに接続されている。コンピュータ５はデジタルマップの処理が可能な装置とソフトウェアを装備している。コンピュータ５はまた、スクリーンモニタ６、キーボード７、ＣＤ書出し装置７のような光ディスクを読み取りそれに記録する装置、等の入出力装置を含む。
【００２１】
ビデオプログラムの創成のために、関係者２はビデオカメラ１によってビデオ撮影される。一連の検定質問（これもまた、ビデオ画像及び／又はサウンドトラックであるかもしれない）がビデオ撮影の間に関係者２に提示される。この質問に対する関係者２の応答はマイクロホン３によって記録される。
【００２２】
関係者の声はデジタル信号に変換され、この信号はさらなる処理のために直接かつ音圧探知器４を通してコンピュータ５に移され、その結果、音圧探知器４は、検定質問に関する関係者２の応答が正直か不正直かに相当する信号を形成する。コンピュータ５はそのハードウェア／ソフトウェア手段によってビデオプログラムを創成する。創成されたビデオプログラムは、特に、関係者２の画像と、背景画像と、関係者２の声である音声及び検定質問の音（例えば、ビデオプログラムのリーダが尋ねる音）であるサウンドトラックとを含んでいる。検定質問と関係者２の応答の両方に相当するテキストの「動作線(running line)」に従って音を確認することが可能であり、故に、マイクロホン３からのデジタル信号のスピーチを適切なハードウェア・ソフトウェアによる認識手段で処理することによりテキストを作り出すことは可能である。検定質問への応答が正直であるというデジタル信号を音圧探知器４が形成する場合、ビデオ画像のピクセルとサウンドトラックの両方は変化せず、または、このことに加え、コンピュータ５のハードウェアソフトウェアミキシング手段は正直に相当するアニメ画像を形成してそれをビデオプログラムのビデオ画像に追加する。検定質問への応答が不正直であるといるデジタル信号を音圧探知器４が形成するなら、この場合、コンピュータ５のハードウェアソフトウェアミキシング手段はビデオ画像の対象とそのサウンドトラックを、形状及び／又は色及び／又は輝度及び／又はコントラスト及び／又は関係者２の出現頻度（例えば「瞬き」をすること）及び／又は背景及び／又は「動作線」変化させることにより、変更し、あるいは、このことに加え、コンピュータ５のハードウェアソフトウェアミキシング手段は不正直に相当するアニメ画像を形成しそれをビデオプログラムのビデオ画像に追加する。
【００２３】
ビデオ撮影の前に、必要な変化する対象アイテムと、変化方法のアイテムとの両方を挿入することが可能である。このことは、キーボード７（または、マウス）を用いて、例えば、スクリーンモニタ６に表示された適切なユーザインタフェースの適切なフィールドをチェックすることによってなされうる。創成されたビデオプログラムは、コンピュータ５のハードディスクに若しくはＣＤ書き込み装置７によって光ディスクに書き込まれ、又は、通信ネットワークなどによって送信される。
【００２４】
上記実施形態に従った音圧探知器に代えて、別の測定手段とすることができる。この別の測定手段はマイクロホン３と無関係とすることができる。それは（例えば、１９９８年発行のロシア特許ＲＵ２１１２４２３に記載されるような）緊張測定プラットフォーム、又は、（例えば、１９９０年発行の米国特許US４,９３２,４１６に記載されるような）脳生電気信号センサーユニットを持つポリグラフである。これらの手段を異種の公知ポートによってコンピュータ５のポートに連結することができる。
【００２５】
実施形態及び特許請求の範囲におけるハードウェアソフトウェア手段のすべて（または、それらの大部分）をビデオカメラ１に一体的に組み込むことが可能であることに留意されたい。
【００２６】
提示された例は、本発明の１実施形態を図示する目的のものであり、制限的なものととるべきではない。本発明の範囲は特許請求の範囲によってのみ制限されるべきである。したがって、当該技術分野のエキスパートはかなり簡単な方法で本発明の他の実施例を行うことができる。また、ソフトウェアエキスパートは本発明の実施例に必要なソフトウェアを本発明の特許請求の範囲に基づいてかなり簡単な方法で作成できるであろう。
【図面の簡単な説明】
【００２７】
【図１】デジタルビデオプログラム創成システムの基本的な体系を示す図である。
【図１】
2007503248.tif 000003
【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
ビデオプログラムの関係者を撮影するビデオカメラと；
前記ビデオカメラによって撮影された関係者の画像を含むビデオプログラムのビデオ画像を創成する創成手段と；
前記関係者の撮影の間に、与えられた言葉に応答した関係者の反射的な精神生理学的反応のデータを測定する測定手段と；
前記反射的な精神生理学的反応の測定データのパラメータを前記ビデオプログラムのビデオ画像に追加するミキシング手段と；
を含んでなるビデオプログラム創成システムであって、
前記関係者の撮影の間に前記関係者の音声を録音するマイクロホンと；
前記関係者の録音された音声を前記関係者の画像に結合する結合手段と；
をさらに含み、
前記ミキシング手段は、検定質問などの前記言葉が与えられた後に関係者の不正直に相当する測定データのパラメータの変化に応答して、前記関係者の録音された音声の振幅周波数特性を変える変更ユニットを含むビデオプログラム創成システム。
【請求項２】
請求項１のビデオプログラム創成システムであって、前記ミキシング手段は、前記測定データのパラメータの変化に応答して前記ビデオプログラムの前記ビデオ画像を変更する追加変更ユニットを含むビデオプログラム創成システム。
【請求項３】
請求項２のビデオプログラム創成システムであって、前記追加変更ユニットは前記関係者の前記画像及び／又は前記ビデオプログラムの前記ビデオ画像の別の対象をその形状、色、輝度、コントラスト及び出現頻度のうちの少なくとも１つを変えるように変更できるビデオプログラム創成システム。
【請求項４】
請求項２のビデオプログラム創成システムであって、前記追加変更ユニットは、前記測定データの前記パラメータの変化レベルを反映する別のアニメ画像を形成できるビデオプログラム創成システム。
【請求項５】
請求項２のビデオプログラムシステムであって、前記関係者の音声を適当なテキストに変換して該適当なテキストをその画像として前記ビデオプログラムの前記ビデオ画像に追加するのは変換手段であるビデオプログラム創成システム。
【請求項６】
請求項５のビデオプログラム創成システムであって、前記追加変更ユニットは前記適当なテキストの前記画像を、その形状、色、輝度、コントラスト及び出現頻度のうちの少なくとも１つを変えるよう変更できるビデオプログラム創成システム。
【請求項７】
請求項１の創成システムであって、前記測定手段は前記マイクロホンで記録された前記関係者の音声に反応する音圧探知器であるビデオプログラム創成システム。
【請求項８】
請求項１のビデオプログラム創成システムであって、前記測定手段は緊張測定プラットフォームであるビデオプログラム創成システム。
【請求項９】
請求項１のビデオプログラム創成システムであって、前記測定手段はポリグラフであるビデオプログラム創成システム。
【請求項１０】
請求項１のビデオプログラム創成システムであって、前記測定手段は、前記検定質問の後に前記関係者の反射的な精神生理学的反応を反映しかつ測定される前記関係者の有機組織体の生理的パラメータを測定するセンサーユニットを含むビデオプログラム創成システム。
【請求項１１】
請求項１０のビデオプログラム創成システムであって、前記センサーユニットは、パルス波ゲージ、パルス数ゲージ、呼吸回数ゲージ、脳生体電気信号ゲージ、および皮膚電気伝導ゲージを含む群から選択されたゲージを含むビデオプログラム創成システム。
【請求項１２】
ビデオプログラムの関係者をビデオ撮影し；
前記関係者のビデオ撮影の間に、与えられた言葉に応答した前記関係者の反射的な精神生理学的反応のデータを測定し；
前記関係者の撮影画像を含む前記ビデオプログラムのビデオ画像を創成し；
前記反射的な精神生理学的反応に関する前記測定データのパラメータを前記ビデオプログラムの前記ビデオ画像に追加する；
ステップを含むビデオプログラム創成方法であって、さらに、
前記関係者のビデオ撮影の間に前記関係者の音声を録音し；
前記録音された前記関係者の音声を前記関係者の前記画像に結合し；
検定質問などの前記言葉が与えられた後に前記関係者の不正直に相当する前記測定データの前記パラメータの変化に応答して、前記関係者の録音された音声の振幅周波数特性を変えることにより前記ビデオプログラムのサウンドトラックを変更する；
ステップを含んでなるビデオプログラム創成方法。
【請求項１３】
請求項１０のビデオプログラム創成方法であって、前記測定データの前記パラメータ変化に応答して前記ビデオプログラムの前記ビデオ画像を変更する追加ステップを含むビデオプログラム創成方法。
【請求項１４】
請求項１３のビデオプログラム創成方法であって、前記ビデオ画像の変更は、前記関係者の画像及び／又は前記ビデオプログラムの前記ビデオ画像の別の対象をその形状、色、輝度、コントラスト及び出現頻度のうちの少なくとも１つを変えることにより行われるビデオプログラム創成方法。
【請求項１５】
請求項１３のビデオプログラム創成方法であって、前記音声を適当なテキストに変換し該適当なテキストを画像として前記ビデオプログラムの記ビデオ画像に追加するステップを含むビデオプログラム創成方法。
【請求項１６】
請求項１５のビデオプログラム創成方法であって、前記ビデオ画像の変更は、前記適当なテキストの前記画像をその形状、色、輝度、コントラスト及び出現頻度のうちの少なくとも１つを変更することにより行われるビデオプログラム創成方法。
【請求項１７】
請求項１３のビデオプログラム創成方法であって、前記ビデオ画像の変更は、前記測定データの前記パラメータ変化のレベルを反映する別のアニメ画像を形成することでなされるビデオプログラム創成方法。
【請求項１８】
請求項１２のビデオプログラム創成方法であって、前記測定は、前記検定質問の後に前記関係者の反射的な精神生理学的反応を反映して測定される前記関係者の有機組織体の生理的パラメータの測定としてなされるビデオプログラム創成方法。
【請求項１９】
ビデオプログラムの関係者を撮影するビデオカメラと；
前記ビデオカメラによって撮影された前記関係者の画像を含む前記ビデオプログラムのビデオ画像を創成する創成手段と；
前記関係者の撮影の間に、与えられた言葉に応答した前記関係者の反射的な精神生理学的反応のデータを測定する手段と；
前記反射的な精神生理学的反応に関する前記測定データのパラメータを前記ビデオプログラムの前記ビデオ画像に追加するミキシング手段と；
を含んでなるビデオプログラム創成システムであって、さらに、
前記関係者の撮影の間に前記関係者の音声を録音するマイクロホンと：
前記録音された前記関係者の音声を前記関係者の前記画像に結合し及び／又は前記音声を適当なテキストに変換し、該適当なテキストを画像として前記ビデオプログラムの前記ビデオ画像に追加する結合手段を含んでなり、
前記ミキシング手段は、検定質問などの前記言葉が与えられた後の前記測定データの前記パラメータの変化に応答して、前記ビデオプログラムの前記ビデオ画像を変更する変更ユニットを含み、該変更ユニットは、前記関係者の前記画像及び／又は前記適当なテキストの前記画像及び／又は前記ビデオプログラムの前記ビデオ画像の他の対象をそれらの形状、色、輝度、コントラスト及び出現頻度のうちの少なくとも１つを変えるように変更することができ、かつ、前記ミキシング手段は前記ビデオカメラに一体的に組み込まれているビデオプログラム創成システム。
【請求項２０】
請求項１９のビデオプログラム創成システムであって、前記変更ユニットもまた前記測定データの前記パラメータ変化のレベルを反映する別のアニメ画像を形成することができるビデオプログラム創成システム。
【請求項２１】
請求項１９のビデオプログラム創成システムであって、前記ミキシング手段は前記ビデオプログラムのサウンドトラックを変更する変更ユニットをさらに含み、画変更ユニットは、前記言葉が与えられた後に前記測定データの前記パラメータ変化に応答して前記録音された関係者の音声の振幅周波数特性を変えることができるビデオプログラム創成システム。
【請求項２２】
請求項１９のビデオプログラム創成システムであって、前記測定手段は、前記マイクロホンで記録した前記関係者の音声に反応する音圧探知器であるビデオプログラム創成システム。
【請求項２３】
請求項１９のビデオプログラム創成システムであって、前記測定手段はポリグラフであるビデオプログラム創成システム。
【請求項２４】
請求項１９のビデオプログラム創成システムであって、前記測定手段は、前記検定質問の後に前記関係者の反射的な精神生理学的反応を反映して測定される前記関係者の有機組織体の生理的パラメータを測定するセンサーユニットを含むビデオプログラム創成システム。
【請求項２５】
請求項２４のビデオプログラム創成システムであって、前記センサーユニットは、パルス波ゲージ、パルス数ゲージ、呼吸回数ゲージ、脳生体電気信号ゲージ、および皮膚電気伝導ゲージを含む群から選択されたゲージを含むビデオプログラム創成システム。
【国際調査報告】
2007503248.tif 000004